(57)【要約】【課題】  第１のプロトコルに従う端末を、プロトコル変換装置を介して、第２のプロトコルに従う通信網に接続させる場合においても、通信網内の制御局が、ユーザの識別情報と端末の識別情報とを関連付けることができるようにする。【解決手段】  本発明のプロトコル変換装置は、端末に係るユーザ認証や、端末へのアドレス付与を、通信網側と協働して実行する際に、ユーザの識別情報と端末の識別情報とを含む関連付け情報を得て送信する関連付け情報通知部を有する。通信網におけるトラヒックを制御する本発明の制御局は、関連付け情報通知部が送信した関連付け情報を受信して保存する関連付け情報受信部を有する。【選択図】      図１
2009111597.tif 000002
【特許請求の範囲】
【請求項１】
第１のプロトコルに従う端末を、プロトコル変換装置を介して、第２のプロトコルに従う通信網に接続させる通信システムにおいて、
上記プロトコル変換装置は、
上記端末に係るユーザ認証や、上記端末へのアドレス付与を、上記通信網側と協働して実行する際に、上記ユーザの識別情報と上記端末の識別情報とを含む関連付け情報を得て送信する関連付け情報通知部を有し、
上記通信網におけるトラヒックを制御する制御局は、
上記関連付け情報通知部が送信した関連付け情報を受信して保存する関連付け情報受信部を有する
ことを特徴とする通信システム。
【請求項２】
第１のプロトコルに従う端末を、プロトコル変換装置を介して、第２のプロトコルに従う通信網に接続させる通信方法において、
上記プロトコル変換装置の関連付け情報通知部は、上記端末に係るユーザ認証や、上記端末へのアドレス付与を、上記通信網側と協働して実行する際に、上記ユーザの識別情報と上記端末の識別情報とを含む関連付け情報を得て送信し、
上記通信網におけるトラヒックを制御する制御局の関連付け情報受信部は、上記関連付け情報通知部が送信した関連付け情報を受信して保存する
ことを特徴とする通信方法。
【請求項３】
第１のプロトコルに従う端末を、第２のプロトコルに従う通信網に接続させるプロトコル変換装置において、
上記端末に係るユーザ認証や、上記端末へのアドレス付与を、上記通信網側と協働して実行する際に、上記ユーザの識別情報と上記端末の識別情報とを含む関連付け情報を得て送信する関連付け情報通知部を有することを特徴とするプロトコル変換装置。
【請求項４】
第１のプロトコルに従う端末を、プロトコル変換装置を介して、第２のプロトコルに従う通信網に接続させる通信システムにおける、上記通信網に設けられ、上記通信網のトラヒックを制御する制御局において、
上記プロトコル変換装置の関連付け情報通知部が、上記端末に係るユーザ認証や、上記端末へのアドレス付与を、上記通信網側と協働して実行する際に、上記ユーザの識別情報と上記端末の識別情報とを含む関連付け情報を得て送信した関連付け情報通知部を、受信して保存する関連付け情報受信部を有することを特徴とする制御局。
【請求項５】
第１のプロトコルに従う端末を、第２のプロトコルに従う通信網に接続させるプロトコル変換装置に搭載されるコンピュータを、
上記端末に係るユーザ認証や、上記端末へのアドレス付与を、上記通信網側と協働して実行する際に、上記ユーザの識別情報と上記端末の識別情報とを含む関連付け情報を得て送信する関連付け情報通知部として機能させる
ことを特徴とするプロトコル変換装置の関連付けプログラム。
【請求項６】
第１のプロトコルに従う端末を、プロトコル変換装置を介して、第２のプロトコルに従う通信網に接続させる通信システムにおける、上記通信網に設けられ、上記通信網のトラヒックを制御する制御局に搭載されるコンピュータを、
上記プロトコル変換装置の関連付け情報通知部が、上記端末に係るユーザ認証や、上記端末へのアドレス付与を、上記通信網側と協働して実行する際に、上記ユーザの識別情報と上記端末の識別情報とを含む関連付け情報を得て送信した関連付け情報通知部を、受信して保存する関連付け情報受信部として機能させる
ことを特徴とする制御局の関連付けプログラム。
【発明の詳細な説明】
【技術分野】
【０００１】
本発明は、通信システム、通信方法、プロトコル変換装置、制御局、プロトコル変換装置の関連付けプログラム、及び、制御局の関連付けプログラムに関し、例えば、いわゆるＷｉＦｉ端末をいわゆるＷｉＭＡＸ網での端末として機能させるシステムなどに適用して好適なものである。
【背景技術】
【０００２】
ＩＥＥＥ８０２．１１準拠の無線ＬＡＮ（ＷｉＦｉと呼ばれている）の端末（ＷｉＦｉ端末）は、かなり普及している一方、ＩＥＥＥ８０２．１６ｅ準拠の無線ＭＡＮ（ＷｉＭＡＸと呼ばれている）に係る網（ＷｉＭＡＸ網）の研究、開発も盛んであり、実用化も目前である（非特許文献１参照）。このような状況において、ＷｉＦｉプロトコル及びＷｉＭＡＸプロトコル間の変換を行うゲートウェイ装置（以下、ＷｉＷｉ−ＧＷと呼ぶ）を介して、既存のＷｉＦｉ端末が、ＷｉＭＡＸ網を利用できるようにすることも考えられている（非特許文献２参照）。
【０００３】
ＷｉＭＡＸ網においては、無線アクセス回線に収容されるＷｉＭＡＸ端末に関し、契約ユーザのＩＤ認証については制御局を介して行い、無線アクセス回線への接続は無線基地局が行い、その接続情報は基地局から制御局に通知される。
【０００４】
ＷｉＷｉ−ＧＷを介してＷｉＦｉ端末をＷｉＭＡＸ網に接続するので、ＷｉＦｉ端末のＷｉＭＡＸ網における無線アクセス回線への接続は、ＷｉＷｉ−ＧＷが代行して行う。そのため、無線アクセス契約のユーザか否かの認証問合せについても、ＷｉＷｉ−ＧＷがＷｉＦｉ端末に代行して行う。
【非特許文献１】服部武、藤岡雅宣編著、「改訂版ワイヤレス・ブロードバンド教科書−高速ＩＰワイヤレス編」、２００５年１２月株式会社インプレスＲ＆Ｄ発行、第４章及び第５章
【非特許文献２】庄納崇著、「ワイヤレス・ブロードバンド時代を創るＷｉＭＡＸ」、２００６年６月株式会社インプレスＲ＆Ｄ発行、ｐ３２
【発明の開示】
【発明が解決しようとする課題】
【０００５】
しかしながら、無線アクセス契約のユーザか否かの認証問合せについても、ＷｉＷｉ−ＧＷがＷｉＦｉ端末に代行して行うため、制御局は、その認証結果を保持しない。すなわち、ＷｉＦｉ端末及びＷｉＷｉ−ＧＷ間はＩＥＥＥ８０２．１１準拠の認証手順に従い、ＷｉＷｉ−ＧＷ及び制御局間はＩＥＥＥ８０２．１６ｅ準拠の認証手順に従って認証処理を行うため、制御局は、上述した認証結果を保持しない。
【０００６】
そのため、その後、ＷｉＦｉ端末が、払い出されたＩＰアドレスを挿入したＩＰパケットを送信して制御局に到達しても、制御局は、どのＷｉＦｉ端末が送信したものかを捉えることができない。逆に、制御局は、ＩＰパケットを受信しても、どのＷｉＦｉ端末に送信されたものかを捉えることができない。
【０００７】
そのため、制御局は、通信に供しているＩＰパケットの無線アクセス契約のユーザを把握できないことにより、所定の処理を実行し得ないことも生じる。例えば、あるサービスを提供するために、ＷｉＦｉ端末にＩＰパケットを送信しているにも拘わらず、課金をできないようなことも生じる。また、ＩＰパケットが異常であるような場合でも、ＷｉＦｉ端末を特定できないため、障害解析や障害管理を適切に実行できないことも生じる。
【０００８】
このような課題は、例えば、Ｅｔｈｅｒｎｅｔ（登録商標）端末を、ゲートウェイ装置を介してＷｉＭＡＸ網に接続させるような場合にも同様に生じる。
【０００９】
そのため、あるプロトコル網に係る端末が、プロトコル変換装置を介して他のプロトコル網に接続される場合においても、他のプロトコル網の制御局が、ユーザの識別情報と端末の識別情報とを関連付けることができる、通信システム、通信方法、プロトコル変換装置、制御局、プロトコル変換装置の関連付けプログラム、及び、制御局の関連付けプログラムが望まれている。
【課題を解決するための手段】
【００１０】
第１の本発明は、第１のプロトコルに従う端末を、プロトコル変換装置を介して、第２のプロトコルに従う通信網に接続させる通信システムにおいて、（１）上記プロトコル変換装置は、上記端末に係るユーザ認証や、上記端末へのアドレス付与を、上記通信網側と協働して実行する際に、上記ユーザの識別情報と上記端末の識別情報とを含む関連付け情報を得て送信する関連付け情報通知部を有し、（２）上記通信網におけるトラヒックを制御する制御局は、上記関連付け情報通知部が送信した関連付け情報を受信して保存する関連付け情報受信部を有することを特徴とする。
【００１１】
第２の本発明は、第１のプロトコルに従う端末を、プロトコル変換装置を介して、第２のプロトコルに従う通信網に接続させる通信方法において、（１）上記プロトコル変換装置の関連付け情報通知部は、上記端末に係るユーザ認証や、上記端末へのアドレス付与を、上記通信網側と協働して実行する際に、上記ユーザの識別情報と上記端末の識別情報とを含む関連付け情報を得て送信し、（２）上記通信網におけるトラヒックを制御する制御局の関連付け情報受信部は、上記関連付け情報通知部が送信した関連付け情報を受信して保存することを特徴とする。
【００１２】
第３の本発明は、第１のプロトコルに従う端末を、第２のプロトコルに従う通信網に接続させるプロトコル変換装置において、上記端末に係るユーザ認証や、上記端末へのアドレス付与を、上記通信網側と協働して実行する際に、上記ユーザの識別情報と上記端末の識別情報とを含む関連付け情報を得て送信する関連付け情報通知部を有することを特徴とする。
【００１３】
第４の本発明は、第１のプロトコルに従う端末を、プロトコル変換装置を介して、第２のプロトコルに従う通信網に接続させる通信システムにおける、上記通信網に設けられ、上記通信網のトラヒックを制御する制御局において、上記プロトコル変換装置の関連付け情報通知部が、上記端末に係るユーザ認証や、上記端末へのアドレス付与を、上記通信網側と協働して実行する際に、上記ユーザの識別情報と上記端末の識別情報とを含む関連付け情報を得て送信した関連付け情報通知部を、受信して保存する関連付け情報受信部を有することを特徴とする。
【００１４】
第５の本発明は、第１のプロトコルに従う端末を、第２のプロトコルに従う通信網に接続させるプロトコル変換装置に搭載されるコンピュータを、上記端末に係るユーザ認証や、上記端末へのアドレス付与を、上記通信網側と協働して実行する際に、上記ユーザの識別情報と上記端末の識別情報とを含む関連付け情報を得て送信する関連付け情報通知部として機能させることを特徴とする。
【００１５】
第６の本発明は、第１のプロトコルに従う端末を、プロトコル変換装置を介して、第２のプロトコルに従う通信網に接続させる通信システムにおける、上記通信網に設けられ、上記通信網のトラヒックを制御する制御局に搭載されるコンピュータを、上記プロトコル変換装置の関連付け情報通知部が、上記端末に係るユーザ認証や、上記端末へのアドレス付与を、上記通信網側と協働して実行する際に、上記ユーザの識別情報と上記端末の識別情報とを含む関連付け情報を得て送信した関連付け情報通知部を、受信して保存する関連付け情報受信部として機能させることを特徴とする。
【発明の効果】
【００１６】
本発明によれば、あるプロトコル網に係る端末が、プロトコル変換装置を介して他のプロトコル網に接続される場合においても、他のプロトコル網の制御局が、ユーザの識別情報と端末の識別情報とを関連付けることができるようになる。
【発明を実施するための最良の形態】
【００１７】
（Ａ）主たる実施形態
以下、本発明による通信システム、通信方法、プロトコル変換装置、制御局、プロトコル変換装置の関連付けプログラム、及び、制御局の関連付けプログラムの一実施形態を、図面を参照しながら詳述する。なお、この実施形態の無線通信システムは、いわゆるＷｉＦｉ端末をいわゆるＷｉＭＡＸ網での端末として機能させるシステムである。
【００１８】
（Ａ−１）実施形態の構成
図１は、実施形態に係る通信システムの構成を示すブロック図である。図１において、実施形態の通信システム１は、ＷｉＦｉ端末１１を、ＷｉＷｉ−ＧＷ１２を介して、ＷｉＭＡＸ網２に接続させるものである。
【００１９】
ＷｉＭＡＸ網２は、基地局１３、制御局１４、認証サーバ１５、ＤＨＣＰサーバ１６及びルータ１７などを構成要素としており、インターネット３とも接続可能なものである。
【００２０】
ＷｉＦｉ端末１１は、ＩＥＥＥ８０２．１１準拠の無線ＬＡＮ端末であり、既存のものと同様なものである。
【００２１】
ＷｉＷｉ−ＧＷ１２は、ＷｉＦｉ端末１１をＷｉＭＡＸ網２の無線アクセス回線に接続して、ＩＰ通信を実行させるゲートウェイ装置（実施形態のプロトコル変換装置）である。ＷｉＷｉ−ＧＷ１２は、ＷｉＭＡＸ網２に対してはＷｉＭＡＸ端末として振る舞うものであり、ＷｉＦｉ端末１１に対しては、ＷｉＭＡＸ網側装置（基地局１３）として振る舞うものである。この実施形態の場合、ＷｉＷｉ−ＧＷ１２が、後述する関連付け情報通知部２３Ａを有することが１つの特徴になっている。
【００２２】
例えば、基地局１３及び制御局１４は、ネットワーク接続事業者（Ｎｅｔｗｏｒｋ  Ａｃｃｅｓｓ  Ｐｒｏｖｉｄｅｒ；ＮＡＰ）に係るアクセスサービスネットワーク（Ａｃｃｅｓｓ  Ｓｅｒｖｉｃｅ  Ｎｅｔｗｏｒｋ；ＡＳＮ）の構成要素であり、認証サーバ１５、ＤＨＣＰサーバ１６及びルータ１７は、ＷｉＭＡＸアクセスサービス事業者であるネットワーク提供事業者（Ｎｅｔｗｏｒｋ  Ｓｅｒｖｉｃｅ  Ｐｒｏｖｉｄｅｒ；ＮＳＰ）に係る接続サービスネットワーク（Ｃｏｎｎｅｃｔｉｖｉｔｙ  Ｓｅｒｖｉｃｅ  Ｎｅｔｗｏｒｋ；ＣＳＮ）の構成要素である。なお、実施形態に係るＮＳＰ（構成要素１５〜１７）は、後述するように、他のＮＳＰに適宜接続されるものである。
【００２３】
基地局（ＢＳ）１３は、基本的には、ＷｉＭＡＸ端末（図示せず）との無線接続を実現するものであるが、この通信システムでは、ＷｉＷｉ−ＧＷ１２との無線接続を実現するものである。基地局１３は、既存のものと同様なものである。
【００２４】
制御部１４は、いわゆるＡＳＮ−ＧＷやＦＡ（Ｆｏｒｅｉｇｎ  Ａｇｅｎｔ）が該当し、基地局１３、認証サーバ１５、ＤＨＣＰサーバ１６、ルータ１７と接続し、各種パケットの授受などの仲介や、基地局１３等を制御したりするものである。この実施形態の場合、制御部１４が、後述する関連付け情報受信部３２Ａを有することが他の１つの特徴になっている。
【００２５】
認証サーバ１５は、いわゆるＡＡＡ（Ａｕｔｈｅｎｔｉｃａｔｉｏｎ，Ａｕｔｈｏｒｉｚａｔｉｏｎ  ａｎｄ  Ａｃｃｏｕｔｉｎｇ；認証・許可・課金機能）又はＡＡＡプロキシーが該当し、ユーザＩＤの認証などを行うものである。認証サーバ１５は、既存のものと同様なものである。
【００２６】
ＤＨＣＰサーバ１６は、制御局１４の制御下で、ＩＰアドレスを払い出すサーバである。ＤＨＣＰサーバ１６は、既存のものと同様なものである。
【００２７】
ルータ１７は、いわゆるＨＡ（Ｈｏｍｅ  Ａｇｅｎｔ）が該当し、ＩＰパケットをルーティングしてインターネット３へ接続するものである。ルータ１７は、既存のものと同様なものである。
【００２８】
制御局１４、認証サーバ１５、ＤＨＣＰサーバ１６及びルータ１７などはそれぞれ、１個の物理的な装置で構成されている必要はなく、複数の装置によって分散処理構成として構築されたものであっても良い。また、逆に、１個の装置が、制御局１４、認証サーバ１５、ＤＨＣＰサーバ１６及びルータ１７の２個の機能を兼ねたものであっても良い。例えば、制御局１４及び認証サーバ１５が物理的には１個の装置で構築されたものであっても良い。
【００２９】
図２は、ＷｉＷｉ−ＧＷ１２の詳細構成を示すブロック図である。図２において、ＷｉＷｉ−ＧＷ１２は、ＷｉＦｉ無線部２１、ＷｉＦｉ制御部２２、プロトコル変換部２３、ＷｉＭＡＸ制御部２４及びＷｉＭＡＸ無線部２５を有する。ＷｉＦｉ制御部２２、プロトコル変換部２３及びＷｉＭＡＸ制御部２４は、例えば、ＣＰＵ及びそれが実行するプログラム（その一部として、実施形態のプロトコル変換装置の関連付けプログラムを含む）によって実現される。
【００３０】
ＷｉＦｉ無線部２１は、ＷｉＦｉにおける無線通信のプロトコルに従って、ＷｉＦｉ端末１１との無線通信を実行するものである。
【００３１】
ＷｉＦｉ制御部２２は、ＷｉＦｉ端末１１に対して、恰もＷｉＦｉ基地局と同様に振る舞うものである。
【００３２】
ＷｉＭＡＸ無線部２５は、ＷｉＭＡＸにおける無線通信のプロトコルに従って、ＷｉＭＡＸの基地局１３との無線通信を実行するものである。
【００３３】
ＷｉＭＡＸ制御部２４は、基地局１３に対して、恰もＷｉＭＡＸ端末と同様に振る舞うものである。
【００３４】
プロトコル変換部２３は、ＷｉＭＡＸ制御部２４から与えられたＷｉＭＡＸ準拠のパケットをＷｉＦｉ準拠のパケットに変換してＷｉＦｉ制御部２２に与えたり、ＷｉＦｉ制御部２２から与えられたＷｉＦｉ準拠のパケットをＷｉＭＡＸ準拠のパケットに変換してＷｉＭＡＸ制御部２４に与えたりなど、ＷｉＭＡＸ及びＷｉＦｉ間のプロトコル変換を実行するものである。プロトコル変換部２３は、後述する動作の項で明らかにするＡｕｔｈｅｎｔｉｃａｔｏｒ（認証懇願元の機能部）やＲｏｕｔｅｒを内蔵している。
【００３５】
この実施形態の場合、プロトコル変換部２３は、上述した関連付け情報通知部２３Ａを有している。関連付け情報通知部２３Ａは、ＷｉＦｉ端末１１の認証処理（８０２．１Ｘ認証）やモバイルＩＰアドレス（ＭＩＰ）の取得処理（ＭＩＰ処理）を通じて、あるＷｉＦｉ端末１１に関するユーザＩＤとＩＰアドレスとを取得し、ユーザＩＤとＩＰアドレス（後述するＨｏＡ）とを関連付けるものであり、関連付け情報（ユーザＩＤ及びＩＰアドレス）を、ＷｉＭＡＸ網２の制御局１４に通知するものである。
【００３６】
図３は、制御局１４の詳細構成を示すブロック図である。図３において、制御局１４は、ＩＰインタフェース部（ＩＰ−ＩＦ部）３１と、呼制御部３２とを有する。なお、呼制御部３２は、例えば、ＣＰＵ及びそれが実行するプログラム（その一部として、実施形態の制御局の関連付けプログラムを含む）によって実現される。
【００３７】
ＩＰインタフェース部３１は、基地局１３、認証サーバ１５、ＤＨＣＰサーバ１６又はルータ１７と、ＩＰに従った情報授受を行う部分である。
【００３８】
呼制御部３２は、ＷｉＭＡＸに従った呼制御（セッション制御）を実行する部分である。呼制御部３２は、例えば、ＷｉＷｉ−ＧＷ１２の認証の仲介をしたり、ＷｉＷｉ−ＧＷ１２のＩＰアドレスの取得に仲介をしたり、ルータ１７から気付けアドレス（ＣｏＡ）を受信して登録したり、ＷｉＷｉ−ＧＷ１２に気付けアドレスではない一般のＩＰアドレス（ＨｏＡ）を送信（付与）したりなどする。
【００３９】
この実施形態の場合、呼制御部３２は、上述した関連付け情報受信部３２Ａを有している。関連付け情報受信部３２Ａは、ＷｉＷｉ−ＧＷ１２の関連付け情報通知部２３Ａが通知してきた、あるＷｉＦｉ端末１１についての関連付け情報（ユーザＩＤ及びＩＰアドレス）を受信して格納するものである。
【００４０】
関連付け情報通知部２３Ａの格納情報は、例えば、以下のように利用される。例えば、呼制御部３２は、関連付け情報通知部２３Ａに格納された関連付け情報に基づいて、通過していくＩＰパケットのＩＰアドレスから、そのＩＰパケットの送信元又は送信先であるＷｉＦｉ端末１１（ユーザＩＤ）を認識し、課金の指示を認証サーバ１５に送信する。また例えば、障害が発生したときに、呼制御部３２は、関連付け情報通知部２３Ａに格納された関連付け情報に基づいて、障害に係るＩＰパケットを解析し、障害元のＷｉＦｉ端末１１（ユーザＩＤ）を認識したりする。
【００４１】
（Ａ−２）実施形態の動作
次に、実施形態の通信システム１の動作を、図面を参照しながら説明する。以下では、ユーザＩＤとＩＰアドレスの関連付け情報を制御局へ通知し、それを受信、格納するために関係する動作を中心に説明する。
【００４２】
あるＷｉＦｉ端末１１が、インターネット３側とＩＰパケットを授受するためには、予め、（フェーズ１）ＷｉＦｉ端末１１を収容するＷｉＷｉ−ＧＷ１２がＷｉＭＡＸ認証を得ていること、（フェーズ２）ＷｉＦｉ端末１１を収容するＷｉＷｉ−ＧＷ１２がＩＰアドレス（ＭＩＰ）を取得していること、（フェーズ３）ＷｉＦｉ端末１１が認証を得ていること、（フェーズ４）ＷｉＦｉ端末１１が使用するＩＰアドレス（ＭＩＰ）を取得していること、が必要となる。
【００４３】
以下、図４〜図７のシーケンス図はそれぞれ、フェーズ１〜フェーズ４の動作を示すものである。図８のシーケンス図は、あるＷｉＦｉ端末１１が、インターネット３側とＩＰパケットを授受する様子を示している。
【００４４】
ＷｉＦｉ端末１１を収容するＷｉＷｉ−ＧＷ１２がＷｉＭＡＸ認証を得るフェーズ１の動作は、図４に示すように、図示しないＷｉＭＡＸ端末がＷｉＭＡＸのユーザ認証を行う動作と同様であるので、その詳細説明は省略する。なお、ＷｉＭＡＸ認証を得る動作では、ＷｉＷｉ−ＧＷ１２は、ＷｉＭＡＸ端末と同様に振る舞うものである。
【００４５】
ＷｉＦｉ端末１１を収容するＷｉＷｉ−ＧＷ１２がモバイルＩＰアドレス（ＭＩＰ：ＨｏＡ）を取得するフェーズ２の動作も、図５に示すように、図示しないＷｉＭＡＸ端末がＩＰアドレス（ＨｏＡ）を取得する動作と同様であるので、その詳細説明は省略する。なお、ＩＰアドレスを取得する動作では、ＷｉＷｉ−ＧＷ１２は、ＷｉＭＡＸ端末と同様に振る舞うものである。また、このフェーズ２の動作時において、制御局１４には、ＷｉＭＡＸ端末の移動による基地局１３の変化などを考慮し、気付けアドレス（ＣｏＡ）が登録される。
【００４６】
モバイル端末であるＷｉＦｉ端末１１が認証を得るフェーズ３の動作は、図６に示すように、ＷｉＦｉ端末１１を収容するＷｉＷｉ−ＧＷ１２が、Ａｕｔｈｅｎｔｉｃａｔｏｒ（認証懇願元）として動作する８０２．１Ｘ認証の動作とほぼ同様である。但し、以下の点が従来とは異なっている。
【００４７】
この認証には、例えば、ＥＡＰ−ＴＴＬＳ（ＥＡＰ−Ｔｕｎｎｅｌｅｄ  ＴＬＳ）が適用されているので、ＷｉＦｉ端末１１からユーザＩＤを伴ったパスワードが、Ａｕｔｈｅｎｔｉｃａｔｏｒとして認証サーバ１５に認証を懇願するＷｉＷｉ−ＧＷ１２に与えられる。この実施形態の場合、認証ＯＫが認証サーバ１５から返信されたときに、ＷｉＷｉ−ＧＷ１２の関連付け情報通知部２３ＡがＷｉＦｉ端末１１のユーザＩＤを保存することとした（処理Ａ）。なお、ＷｉＷｉ−ＧＷ１２は、認証要求がＷｉＦｉ端末１１から上がってきたときにユーザＩＤを直ちに保存し、認証ＮＧが認証サーバ１５から返信されたときに、保存したユーザＩＤを消去するようにしても良い（処理Ａの変形例）。また、認証に、ＥＡＰ−ＴＴＬＳに代え、ＥＡＰ−ＴＬＳやＰＥＡＰなどの他の認証方式を適用するようにしても良い。
【００４８】
認証サーバ１５は、自己が認証するものであっても良く、さらに他の認証サーバに認証を依頼するものであっても良いことは勿論である。
【００４９】
ＷｉＦｉ端末１１が使用するＩＰアドレス（ＭＩＰ；ＨｏＡ）を取得するフェーズ４の動作も、図７に示すように、モバイル端末であるＷｉＦｉ端末１１を収容する収容装置（ＷｉＷｉ−ＧＷ１２）が、そのＲｏｕｔｅｒの機能より、制御局１４から気付けアドレス（ＣｏＡ）を取得した後、その気付けアドレスを利用してＩＰアドレスを得る、ＯＭＩＰｖ４の動作とほぼ同様である（図７では、Ｆｏｒｅｉｇｎ  Ａｇｅｎｔ  Ｍｏｄｅでの動作を示しているが、他のモードでの動作であっても良い）。但し、以下の点が従来とは異なっている。
【００５０】
ＷｉＦｉ端末１１が取得したＩＰアドレス（ＨｏＡ）がＷｉＦｉ端末１１に通知するＩＰパケットが通過する際には、ＷｉＷｉ−ＧＷ１２の関連付け情報通知部２３ＡはＩＰアドレスを複写して取り込み、予め処理１で保存したユーザＩＤと関連付けて内部に保存する（処理２）。また、関連付け情報通知部２３Ａは、ユーザＩＤとＩＰアドレスとの関連付け情報を、制御局１４の関連付け情報受信部３２Ａへ通知する（処理３）。この際の通知方法は任意であり、ＩＰパケットの利用の有無は問わない。制御局１４の関連付け情報受信部３２Ａは、通知されたユーザＩＤとＩＰアドレスとの関連付け情報を内部に格納する。
【００５１】
図８は、あるＷｉＦｉ端末１１が、インターネット３側とＩＰパケットを授受する様子を示すシーケンス図である。この際の通信動作自体は従来と同様である。図８には記載していないが、関連付け情報通知部２３Ａに格納された関連付け情報は、上述したように、ＩＰパケットの授受時に必要となる課金処理などで利用させる。
【００５２】
（Ａ−３）実施形態の効果
上記実施形態によれば、ＷｉＦｉ網に係るＷｉＦｉ端末が、ＷｉＷｉ−ＧＷ１２を介してＷｉＭＡＸ網の接続される場合においても、ＷｉＭＡＸ網の制御局が、ユーザＩＤとＷｉＦｉ端末に付与されたＩＰアドレスとを関連付けることができるようになる。その結果、ＷｉＭＡＸ網の制御局は、課金、障害管理等の運用、管理情報を得ることができ、また、そのような情報を一元管理することもできる。
【００５３】
（Ｂ）他の実施形態
上記実施形態では、ＷｉＦｉ端末１１をＷｉＭＡＸ網の端末として利用可能にしたものを示したが、本発明は、これに限定されるものではなく、プロトコル変換を行うゲートウェイ装置（プロトコル変換装置）を介して、あるプロトコル網に係る端末が他のプロトコル網に接続される場合に適用することができる。例えば、ＷｉＦｉ端末１１に代え、ブルートゥース（登録商標）端末を適用するようにしても良い。また、無線端末だけに限定されず、例えば、ＷｉＦｉ端末１１に代え、イーサネット（登録商標）端末を適用するようにしても良い。網に関しても、ＷｉＭＡＸ網に限定されず、例えば、ＩＰモバイル網に適用するようにしても良い。
【００５４】
また、上記実施形態では、ゲートウェイ装置（プロトコル変換装置）が１種類の端末（ＷｉＦｉ端末）にのみ対応できるものを示したが、ゲートウェイ装置（プロトコル変換装置）が２種類以上の端末（例えば、ＷｉＦｉ端末及びイーサネット端末）に対応できるものであっても良い。
【００５５】
さらに、上記実施形態では、関連付け情報がユーザＩＤとＩＰアドレスとを関連付けたものを示したが、本発明は、これに限定されず、ユーザを識別する情報（例えば、端末の製品番号）と、通信に供している端末を識別する情報（例えば、ＭＡＣアドレス）とを関連付けるものであれば良い。
【図面の簡単な説明】
【００５６】
【図１】実施形態に係る通信システムの構成を示すブロック図である。
【図２】実施形態におけるＷｉＦｉ／ＷｉＭＡＸ変換ゲートウェイ装置（ＷｉＷｉ−ＧＷ）の詳細構成を示すブロック図である。
【図３】実施形態における制御局の詳細構成を示すブロック図である。
【図４】実施形態に係る通信システムの動作を示すシーケンス図（１）である。
【図５】実施形態に係る通信システムの動作を示すシーケンス図（２）である。
【図６】実施形態に係る通信システムの動作を示すシーケンス図（３）である。
【図７】実施形態に係る通信システムの動作を示すシーケンス図（４）である。
【図８】実施形態に係る通信システムの動作を示すシーケンス図（５）である。
【符号の説明】
【００５７】
１…通信システム、２…ＷｉＭＡＸ網、３…インターネット、１１…ＷｉＦｉ端末、１１２…ＷｉＦｉ／ＷｉＭＡＸ変換ゲートウェイ装置（ＷｉＷｉ−ＧＷ）、１３…基地局、１４…制御局、１５…認証サーバ、１６…ＤＨＣＰサーバ、１７…ルータ、２１…ＷｉＦｉ無線部、２２…ＷｉＦｉ制御部、２３…プロトコル変換部、２３Ａ…関連付け情報通知部、２４…ＷｉＭＡＸ制御部、２５…ＷｉＭＡＸ無線部、３１…ＩＰインタフェース部（ＩＰ−ＩＦ部）、３２…呼制御部、３２Ａ…関連付け情報通知部。
【図１】
2009111597.tif 000003
【図２】
2009111597.tif 000004
【図３】
2009111597.tif 000005
【図４】
2009111597.tif 000006
【図５】
2009111597.tif 000007
【図６】
2009111597.tif 000008
【図７】
2009111597.tif 000009
【図８】
2009111597.tif 000010